(57)【特許請求の範囲】
【請求項１】
ビデオ信号に関連するデータ信号を受信する受信手段と、
ユーザから前記関連するデータ信号を表示させる命令を受信する表示命令手段と、
前記関連するデータ信号を告知すべき時間、又は前記関連するデータ信号を情報表示すべき時間を記憶する一時記憶手段と、
前記データ信号を受信したことを判断した場合に、前記ビデオ信号を表示部に表示させると共に、前記関連するデータ信号が存在することを表す告知を表示させる表示制御手段とを備え、
前記表示制御手段は、前記表示命令手段で関連するデータ信号の表示命令を受信した場合に、前記一時記憶手段に保持している前記関連するデータ信号を前記表示部に表示させる
ことを特徴とする受信装置。
【請求項２】
前記受信された関連するデータ信号を蓄積し、所定の条件によって蓄積された前記データ信号を消去する蓄積手段をさらに備え、
前記表示制御手段は、前記表示命令手段で関連するデータ信号の表示命令を受信した場合に、前記蓄積手段に保持している前記関連するデータ信号のうち、ユーザの要求に応じて選択された関連するデータ信号を表示させることを特徴とする請求項１に記載の受信装置。
【請求項３】
前記受信された関連するデータ信号を蓄積し、所定の条件によって蓄積された前記データ信号を消去する蓄積手段をさらに備え、
前記表示制御手段は、前記一時記憶手段に関連するデータ信号が保持されていないとき、前記表示命令手段で関連するデータ信号の表示命令を受信した場合に、前記蓄積手段に保持している前記関連するデータ信号のうち、ユーザの要求に応じて選択された関連するデータ信号を表示させることを特徴とする請求項１に記載の受信装置。
【請求項４】
前記表示制御手段は、前記関連するデータ信号が存在することを表す告知を表示しているときに前記表示命令手段で関連するデータ信号の表示命令を受信した場合には、前記表示されている告知に関連する前記データ信号を表示させることを特徴とする請求項１に記載の受信装置。
【請求項５】
前記表示制御手段は、前記関連するデータ信号が存在することを表す告知を表示している時間外に、前記表示命令手段で関連するデータ信号の表示命令を受信した際、受信された前記関連するデータ信号のうち、ユーザの要求に応じて選択された関連するデータ信号を表示させることを特徴とする請求項４に記載の受信装置。
【請求項６】
前記表示制御手段は、前記関連するデータ信号が存在することを表すロゴを前記表示部に表示させることを特徴とする請求項１に記載の受信装置。
【請求項７】
ビデオ信号に関連するデータ信号を受信する受信ステップと、
ユーザから前記関連するデータ信号を表示させる命令を受信する表示命令ステップと、
前記関連するデータ信号を告知すべき時間、又は前記関連するデータ信号を情報表示すべき時間を一時記憶手段に記憶するステップと、
前記データ信号を受信したことを判断した場合に、前記ビデオ信号を表示部に表示させると共に、前記関連するデータ信号が存在することを表す告知を表示させる表示制御ステップとを備え、
前記表示制御ステップは、前記表示命令ステップで関連するデータ信号の表示命令を受信した場合に、前記一時記憶手段に保持している前記関連するデータ信号を前記表示部に表示させる
ことを特徴とする受信方法。
【発明の詳細な説明】
【技術分野】
【０００１】
この発明は、ビデオ信号とデータ信号を同時に送信可能な受信装置および方法に関する。
【背景技術】
【０００２】
従来、放送局からのビデオ信号には、映像信号と音声信号が重畳され、被視者に送信されていた（例えば、特許文献１参照。）。また、送信する画像に付随する情報を伝送できれば、送信画像の表す情報をより増大させることができる。
【特許文献１】特開平７−２７４０８２号公報
【発明の開示】
【発明が解決しようとする課題】
【０００３】
しかしながら、従来の放送システムでは、送信画像の有効画面内に付随する情報を同時に表示するような放送システムは、知られていない。
【０００４】
従って、この発明は、ビデオ信号に関連するデータ信号をビデオ信号と同時に表示部に表示させることができる受信装置および方法を提供することを目的とする。
【課題を解決するための手段】
【０００５】
上述した課題を達成するために、この発明は、ビデオ信号に関連するデータ信号を受信する受信手段と、ユーザから関連するデータ信号を表示させる命令を受信する表示命令手段と、関連するデータ信号を告知すべき時間、又は関連するデータ信号を情報表示すべき時間を記憶する一時記憶手段と、データ信号を受信したことを判断した場合に、ビデオ信号を表示部に表示させると共に、関連するデータ信号が存在することを表す告知を表示させる表示制御手段とを備え、表示制御手段は、表示命令手段で関連するデータ信号の表示命令を受信した場合に、一時記憶手段に保持している関連するデータ信号を表示部に表示させることを特徴とする受信装置である。
【０００６】
また、この発明は、ビデオ信号に関連するデータ信号を受信する受信ステップと、ユーザから関連するデータ信号を表示させる命令を受信する表示命令ステップと、関連するデータ信号を告知すべき時間、又は関連するデータ信号を情報表示すべき時間を一時記憶手段に記憶するステップと、データ信号を受信したことを判断した場合に、ビデオ信号を表示部に表示させると共に、関連するデータ信号が存在することを表す告知を表示させる表示制御ステップとを備え、表示制御ステップは、表示命令ステップで関連するデータ信号の表示命令を受信した場合に、一時記憶手段に保持している関連するデータ信号を表示部に表示させることを特徴とする受信方法である。
【発明の効果】
【０００７】
この発明に依れば、例えばビデオ信号を表示部に表示させているときに、表示されたビデオ信号に関連するデータ信号が記憶手段にある場合、その関連するデータ信号が存在することを表す信号、例えばロゴをビデオ信号に重畳して出力し、表示させることができる。従って、被視者が現在視聴しているビデオ信号に関して、関連するデータ信号の有無を容易に認識することができる。
【発明を実施するための最良の形態】
【０００８】
以下、この発明の一実施形態について図面を参照して説明する。まず、この一実施例では、送信画像に付随するところの情報を、伝送情報と表現している。これは例えば、ＣＭ放送に対し、そのＣＭ商品の詳細情報、ＴＶ番組に対し、その番組の出演者あるいは番組内容等を示しているが、他のいかなる情報でもかまわない。また、ビデオ信号出力回路、あるいは情報出力回路として、ビデオモニタ（表示部）とＯＳＤ（オンスクリーンディスプレイ）から構成されている装置を用いているが、以下この装置を単にビデオモニタと称する。
【０００９】
さらに、ビデオ信号出力回路と情報出力回路が兼用されているが、それぞれ独立な回路を用いても同じ効果が得られることは言うまでもない。さらに、情報を受信し、保持していることを被視者に知らしめることを、情報受信告知と称する。これは例えば、情報受信を示すロゴをビデオモニタ上に表示することを意味する。もちろん、他のいかなる表示方法を用いても同じ効果が得られることは言うまでもない。また、ビデオ信号に挿入すべく伝送情報をエンコードした信号を単にデータ信号と称する。
【００１０】
この発明を適用した送信装置の一実施例のブロック図を図１に示す。データ信号を送信ビデオ信号に挿入することで、ビデオ信号と伝送情報の同時送信を可能にする情報付加放送システムのうち、送信装置のブロック図である。伝送情報は、データエンコード回路１１により、送信すべきデータ信号に変換され、データ挿入回路１２へ供給される。データ挿入回路１２は、送信すべきビデオ信号が供給されているが、そこへデータエンコード回路１１からのデータ信号を挿入し、送信回路１３に供給する。送信回路１３は、信号を変調増幅して、アンテナ１４を通して送信する。
【００１１】
図２は、この発明を適用し、伝送情報をエンコードしたデータ信号を送信ビデオ信号に挿入することで、ビデオ信号と伝送情報の同時送信を可能にする情報付加放送システムのうち、情報一時記憶回路を備えた受信装置の第１の実施例のブロック図である。アンテナ２１で受信された信号は、受信回路２２にて復調され、データ検出／抽出回路２３およびビデオモニタ２５（表示部）へ供給される。データ検出／抽出回路２３（データ抽出手段）は、供給されたビデオ信号よりデータ信号を抽出して、データデコード回路２４へ供給する。データデコード回路２４は、データ信号を伝送情報にデコードし、情報一時記憶回路２６に供給する。
【００１２】
情報一時記憶回路２６（記憶手段、一時記憶手段、表示制御手段）は、供給された情報を一定時間だけ保持すると同時に、ビデオモニタ２５を通じて情報受信の告知を同様の時間だけ行う。あるいは、情報一時記憶回路２６は、それが情報受信を告知している時間中、すなわち情報一時記憶回路２６が情報を保持している時間中に、情報表示命令回路２７（命令判断手段）より情報表示の命令があれば、情報一時記憶回路２６に保持している情報をビデオモニタ２５へ出力する。
【００１３】
図３は、この発明の第１の実施例のフローチャートである。このフローチャートは、ステップＳ３００から制御が開始され、ステップＳ３００において、保持している情報を、情報一時記憶回路２６から消去する。ステップＳ３０１において、入力ビデオ信号にデータ信号が有るか否かを判断し、データ信号が有るならステップＳ３０２へ制御が移り、データ信号がなければステップＳ３０１へ制御は戻る。すなわち、データ信号が検出されるまで、制御は、ステップＳ３０１で止まっている。
【００１４】
ステップＳ３０２において、データ信号より伝送情報をデコードし、情報一時記憶回路２６に保持する。ステップＳ３０３において、ビデオモニタ２５に情報受信を告知する。そして、ステップＳ３０４において、情報を表示させる命令が来たか否かを判断し、情報が来たならステップＳ３０７へ制御が移り、情報が来ないならステップＳ３０５へ制御が移る。
【００１５】
ステップＳ３０５において、情報受信を告知すべき時間内か否かを判断し、時間内ならステップＳ３０４に制御が移り、時間外ならステップＳ３０６へ制御が移る。すなわち、表示命令が来るか、あるいは情報受信告知時間が終了するまで、ステップＳ３０４およびステップＳ３０５を繰り返す。ステップＳ３０６において、情報受信の告知を終了、すなわち受信告知を示す表示をビデオモニタ２５より消去し、ステップＳ３００に制御が移る。
【００１６】
一方、ステップＳ３０７においても、情報受信の告知を終了、すなわち受信告知を示す表示をビデオモニタ２５から消去する。ステップＳ３０８において、情報一時記憶回路２６に保持されている伝送情報をビデオモニタ２５に表示する。ステップＳ３０９において、情報表示すべき時間内か否かを判断し、時間内ならステップＳ３０９に制御は戻り、時間外ならステップＳ３１０に制御が移る。すなわち、情報表示中は、ステップＳ３０９で制御が止まっている。ステップＳ３１０において、情報表示を終了、すなわち伝送情報をビデオモニタ２５から消去し、制御はステップＳ３００に戻る。
【００１７】
図４は、この発明を適用し、伝送情報をエンコードしたデータ信号を送信ビデオ信号に挿入することで、ビデオ信号と伝送情報の同時送信を可能にする情報付加放送システムのうち、情報蓄積回路を備えた受信装置の第２の実施例のブロック図である。アンテナ４１で受信された信号は、受信回路４２にて復調され、データ検出／抽出回路４３およびビデオモニタ４５へ供給される。データ検出／抽出回路４３は、供給されたビデオ信号よりデータ信号を抽出して、データデコード回路４４へ供給する。データデコード回路４４は、データ信号を伝送情報にデコードし、情報蓄積回路４６に供給する。
【００１８】
情報蓄積回路４６は、供給された情報を全て自動的に蓄積するが、例えば蓄積してからの時間経過等の条件によって消去する。情報選択回路４８は、情報表示命令回路４７より情報表示の命令があれば、情報蓄積回路４６に蓄積している情報のうち、被視者の要求に応じた情報を選択し、それをビデオモニタ４５に出力する。
【００１９】
図５は、この発明の第２の実施例のフローチャートである。このフローチャートは、ステップＳ５００から制御が開始され、ステップＳ５００において、情報蓄積回路４６に蓄積されている情報のうち、消去すべき条件を満たしているものが有るか否かを判断し、有るならステップＳ５０１へ制御が移り、なければステップＳ５０２へ制御が移る。ステップＳ５０１において、情報蓄積回路４６に蓄積されている情報のうち、消去すべき条件を満たしているものを消去する。
【００２０】
ステップＳ５０２において、入力ビデオ信号にデータ信号が有るか否かを判断し、有るならステップＳ５０３に制御が移り、なければステップＳ５０４に制御が移る。ステップＳ５０３において、データ信号をデコードした伝送情報を情報蓄積回路４６に蓄積する。ステップＳ５０４において、情報を表示させる命令が来たか否かを判断し、命令が来たならステップＳ５０５に制御が移り、来ないならステップＳ５００に制御が戻る。ステップＳ５０５において、情報蓄積回路４６に保持されている伝送情報のなかから、必要な情報が情報選択回路４８を通じて選択され、ビデオモニタ４５に表示される。
【００２１】
ステップＳ５０６において、情報表示すべき時間内か否かを判断し、情報表示すべき時間内ならステップＳ５０６に制御は戻り、時間外ならステップＳ５０７へ制御は移る。すなわち、情報表示中は、ステップＳ５０６で制御が止まっている。ステップＳ５０７において、情報表示を終了、すなわち伝送情報をビデオモニタ４５から消去し、ステップＳ５００に制御が移る。
【００２２】
図６は、この発明を適用し、伝送情報をエンコードしたデータ信号を送信ビデオ信号に挿入することで、ビデオ信号と伝送情報の同時送信を可能にする情報付加放送システムのうち、情報一時記憶および情報蓄積回路を備えた受信装置の第３の実施例のブロック図である。アンテナ６１で受信された信号は、受信回路６２にて復調され、データ検出／抽出回路６３およびビデオモニタ６５へ供給される。データ検出／抽出回路６３は、供給されたビデオ信号よりデータ信号を抽出して、そのデータ信号をデータデコード回路６４へ供給する。
【００２３】
データデコード回路６４は、データ信号を伝送情報にデコードし、情報一時記憶回路６６および情報蓄積回路６９へ供給する。情報蓄積回路６９は、供給された情報を自動的に蓄積するが、例えば蓄積してからの時間経過等の条件によって消去される。情報一時記憶回路６６は、供給された情報を一定時間だけ保持すると同時に、ビデオモニタ６５を通じて情報受信の告知を同様の時間だけ行う。あるいは、情報一時記録回路６６は、それが情報受信を告知している時間中、すなわち情報一時記憶回路６６が情報を保持している時間中に、情報命令手段６７から情報表示の命令があれば、情報一時記憶回路６６に保持している情報をビデオモニタ６５に出力する。
【００２４】
あるいは、情報一時記憶回路６６は、それが情報受信を告知している時間外、すなわち情報一時記憶回路６６が情報を保持していない時に、情報表示命令回路６７から情報表示の命令があれば、情報蓄積回路６９に蓄積している情報のうち、被視者の要求に応じた情報を情報選択回路６８を通じて選択し、それをビデオモニタ６５に出力する。
【００２５】
図７は、この発明の第３の実施例のフローチャートである。このフローチャートは、ステップＳ７００から制御が始まり、そのステップＳ７００では、保持している情報が情報一時記憶回路６６から消去される。ステップＳ７０１において、情報蓄積回路６９に蓄積されている情報のうち、消去すべき条件を満たしているものがあるか否かを判断し、条件を満たしているならステップＳ７０２へ制御が移り、条件を満たしていないならＳ７０３に制御が移る。
【００２６】
ステップＳ７０２において、情報蓄積回路６９に蓄積されている情報のうち、消去すべき条件を満たしているものを消去する。ステップＳ７０３において、入力ビデオ信号にデータ信号があるか否かを判断し、データ信号があるならステップＳ７０４に制御が移り、データ信号がないならステップＳ７１４に制御が移る。ステップＳ７０４において、データ信号をデコードした伝送情報を情報一時記憶回路６６に保持する。ステップＳ７０５において、データ信号をデコードした伝送情報を情報蓄積回路６９に蓄積する。ステップＳ７０６において、ビデオモニタ６５に情報受信を告知する。
【００２７】
ステップＳ７０７において、情報を表示させる命令が来たか否かを判断し、命令が来たならステップＳ７１０に制御が移り、命令が来ないならステップＳ７０８に制御が移る。ステップＳ７０８において、情報受信を告知すべき時間内か否かを判断し、時間内ならステップＳ７０７に制御が戻り、時間外ならステップＳ７０９に制御が移る。すなわち、表示命令が来るか、あるいは情報受信告知時間が終了するまで、ステップＳ７０７およびステップＳ７０８を繰り返す。ステップＳ７０９において、情報受信の告知を終了、すなわち受信告知を示す表示をビデオモニタ６５から消去し、ステップＳ７００に制御が戻る。
【００２８】
一方、ステップＳ７１０においても、情報受信の告知を終了、すなわち受信告知を示す表示をビデオモニタ６５から消去する。ステップＳ７１１において、情報一時記憶回路６６に保持されている伝送情報をビデオモニタ６５に表示する。ステップＳ７１２において、情報表示すべき時間内か否かを判断し、時間内ならステップＳ７１２に制御が移り、時間外ならステップＳ７１３に制御が移る。すなわち、情報表示中は、ステップＳ７１２で制御が止まっている。ステップＳ７１３において、情報表示を終了、すなわち伝送情報をビデオモニタ６５から消去し、ステップＳ７００に制御が戻る。
【００２９】
一方、ステップＳ７１４においても、情報を表示させる命令が来たか否かを判断し、命令が来たならステップＳ７１５に制御が移り、命令が来ないならステップＳ７０１に制御が戻る。ステップＳ７１５において、情報蓄積回路６９に保持されている伝送情報のなかから、必要な情報を情報選択回路６８を通じて選択し、ビデオモニタ６５に表示する。ステップＳ７１６において、情報表示すべき時間内か否かを判断し、時間内ならステップＳ７１６に制御が戻り、時間外ならステップＳ７１７に制御が進む。すなわち、情報表示中は、ステップＳ７１６で制御が止まっている。ステップＳ７１７において、情報表示を終了、すなわち伝送情報をビデオモニタ６５から消去し、ステップＳ７０１に制御が戻る。
【００３０】
図８は、上述した実施例を用いて、この発明を実現する情報付加放送システムの一実施例を示す。放送局８１は、送信アンテナ８２を通じてデータ信号を重畳したテレビジョン信号を放送する。
【００３１】
受信側は、まず受信アンテナ８３から入力した信号をチューナ、デコーダ、情報をモニタに表示するためのＯＳＤ、情報記憶装置あるいは情報蓄積装置および情報表示命令を伝えたり、蓄積情報から情報を選択する手段であるところのインターフェース（Ｉ／Ｆ）を備えたセットトップボックス８４へ供給する。セットトップボックス８４では、ビデオ信号からデータ信号を検出すれば、その情報を取り出して、保持あるいは蓄積すると共に、テレビジョンモニタ８５に情報受信の告知を行う。
【００３２】
被視者は、その情報受信の告知を見て、情報が欲しい場合には、インターフェースを通じて、その命令をセットトップボックス８４に伝える。セットトップボックス８４は、保持している情報あるいは蓄積していた情報をビデオ信号に重畳し、テレビジョンモニタ８５に表示する。ここでは、セットトップボックス８４とテレビジョンモニタ８５を分けて表記しているが、もちろんセットトップボックス８４の機能をテレビジョンモニタ８５の筐体に内蔵しても、全く問題ない。
【００３３】
上述の実施例において、伝送情報をエンコードしたデータ信号を送信ビデオ信号に挿入できるいかなる方法でも、同じ効果が得られることは言うまでもないが、以下、その方法の一実施例として、データ信号を視覚認識可能である有効画面内に図形あるいは記号として表示されるようにビデオ信号に挿入する方法を取り上げる。以下、図面を参照し、伝送情報をエンコードしたデータ信号を送信ビデオ信号に挿入する方法の一実施例として、データ信号を視覚認識可能である有効画面内に図形あるいは記号として表示される方法について説明する。
【００３４】
ビデオ信号有効表示画面とは、一般にビデオモニタに表示されるエリアのことで、ＮＴＳＣ方式の場合一般に、走査線の２２〜２６３本目、２８５〜５２５本目を示す。また、ＰＡＬ方式では、一般に走査線の２３〜３１４本目、３３６〜６２５本目を示す。ここに載っている情報は、一般に被視者に視覚認識される。
【００３５】
そのような信号の一例を図９に示す。この信号を時系列に並べることによって、相当の情報を伝送することができる。このデータ信号の例では、ビデオ信号の走査線のうち、予め定められたデータ表示走査線の、Ｈsync（水平同期信号）を基準とする予め定められたデータ表示時間に、走査線１本につき１ビットの情報を載せることでデータ信号の挿入を実現している。以下、この図形を疑似バーコードと呼ぶ。疑似バーコードの予め定められた位置には、データ検出用パターンを必ず書くことにし、データ検出／抽出回路は、そのパターンを読み取ることで、疑似バーコードを検出することとする。
【００３６】
図１０は、図９に示した疑似バーコードを挿入するデータ挿入手段の一実施例のブロック図であり、図１におけるデータ挿入回路１２の実施例に相当する。供給されるビデオ信号を垂直同期信号分離回路１０１および水平同期信号分離回路１０２にそれぞれ入力し、垂直同期信号および水平同期信号を分離する。カウンタ１０３は、水平同期信号をカウントするが、垂直同期信号の入力によりカウントは、リセットされる。これにより、入力ビデオ信号の走査線番号が得られる。
【００３７】
一方、疑似バーコード、すなわちデータ信号は、１および０を表す２種類のビデオ信号、すなわち黒の信号と白の信号で構成される。マイクロコンピュータ（μＣＯＭ）１０６は、送信すべきデータの内容により、時計１０７によって与えられる時間間隔においてビデオ信号入力スイッチ１０５を切り換え、さらにカウンタ１０３の示す走査線番号によってビデオ信号出力スイッチ１０４を切り換えることにより、画面上にデータ信号として挿入する。
【００３８】
図１１は、図９の疑似バーコードを検出／抽出するデータ検出／抽出手段の一実施例のブロック図であり、図２におけるデータ検出／抽出回路２３の実施例に相当する。供給されるビデオ信号を垂直同期信号分離回路１１１および水平同期信号分離回路１１２にそれぞれ入力し、垂直同期信号および水平同期信号を分離する。カウンタ１１５は、水平同期信号をカウントするが、垂直同期信号の入力によりカウントは、リセットされる。これにより、入力ビデオ信号の走査線番号が得られる。
【００３９】
一方、ビデオ信号は、白のビデオ信号を入力すると１を、黒のビデオ信号を入力すると０を出力するようなしきい値を持ったＡ／Ｄコンバータ１１３に入力され、その出力をマイクロコンピュータ１１４に供給する。マイクロコンピュータ１１４は、垂直同期信号および水平同期信号並びにカウンタ１１５から供給される走査線番号より、データ信号が挿入されている走査線か否かを判断し、データ信号が挿入されている走査線であればＡ／Ｄコンバータ１１３からの入力信号を時計１１６を用いて適当にサンプリングすることでデータ信号を抽出する。
【００４０】
さらに、マイクロコンピュータ１１４は、抽出したデータ信号に図９に示すようなデータ検出パターンが検出できなければ、抽出されたデータは、本システムにおけるデータではないと見なし、抽出したデータを破棄し、データ検出パターンが検出できれば、データ信号を出力する。
【００４１】
上述の実施例では、被視者が視覚認識可能である有効画面内に図形あるいは記号としてエンコードしたデータの例として、図９のように予め定められた位置に挿入されるデータ信号を挙げたが、これはデータ検出回路の負担を軽くするためであり、データ検出回路が有効画面内に挿入されるデータをエンコードした図形を検出できるならば、それを任意の位置に挿入することができることは言うまでもない。
【００４２】
また、上述の実施例では、被視者が視覚認識可能である有効画面内に図形あるいは記号としてエンコードしたデータの例として、図９のようなデータ信号を挙げたが、情報の伝達を可能とする如何なる形状をしていても、この発明により同じ効果が得られることは、言うまでもない。
【００４３】
この発明は、上述したこの発明の一実施形態等に限定されるものではなく、この発明の要旨を逸脱しない範囲内で様々な変形や応用が可能である。
【図面の簡単な説明】
【００４４】
【図１】この発明を適用した送信装置の一実施例のブロック図である。
【図２】この発明を適用し、情報一時記憶回路を備えた受信装置の第１の実施例のブロック図である。
【図３】この発明を適用し、情報一時記憶回路を備えた受信装置の機能を実現できる第１の実施例のフローチャートである。
【図４】この発明を適用し、情報蓄積回路を備えた受信装置の第２の実施例のブロック図である。
【図５】この発明を適用し、情報蓄積回路を備えた受信装置の機能を実現できる第２の実施例のフローチャートである。
【図６】この発明を適用し、情報一時記憶回路および情報蓄積回路を備えた受信装置の第３の実施例のブロック図である。
【図７】この発明を適用し、情報一時記憶回路および情報蓄積回路を備えた受信装置の機能を実現できる第３の実施例のフローチャートである。
【図８】この発明の情報付加放送システムの一実施例の概略図である。
【図９】ビデオモニタに表示されるデータ信号の一例を示す略線図である。
【図１０】この発明に係るデータ挿入回路の一実施例のブロック図である。
【図１１】この発明に係るデータ検出／抽出回路の一実施例のブロック図である。
【符号の説明】
【００４５】
２１    アンテナ
２２    受信回路
２３    データ検出／抽出回路
２４    データデコード回路
２５    ビデオモニタ
２６    情報一時記憶回路
２７    情報表示命令回路
【図１】
0004678354.tif 000002
【図２】
0004678354.tif 000003
【図３】
0004678354.tif 000004
【図４】
0004678354.tif 000005
【図５】
0004678354.tif 000006
【図６】
0004678354.tif 000007
【図７】
0004678354.tif 000008
【図８】
0004678354.tif 000009
【図９】
0004678354.tif 000010
【図１０】
0004678354.tif 000011
【図１１】
0004678354.tif 000012